(57)【要約】      （修正有）【課題】開封刃及び破断された封止フィルムを、容器内部に落下しないように確実に保持し、安全性の高い注出口栓を得、注出口栓を容易に簡単に開封できる注出口栓及び注出口栓の製造法を提供する。【解決手段】注出口栓は、封止フィルムで封止された容器の注出孔に設けられ、注出筒と基部とからなるスパウトと、スパウトを覆うキャップと、キャップと連動して螺旋状に下上運動する開封刃とからなり、キャップには、第１係合フィンが設けられ、キャップの内周面とスパウトの注出筒の外周面とに、キャップをその開閉時に螺旋状に上下させる螺合部が設けられ、開封刃には、スパウトの注出筒の内周面に設けられた螺合部と螺合して、キャップの螺旋状上下運動に連動して螺旋状に下上運動する螺合部を外周面に有する円筒部と、円筒部の下端に設けらる刃とを備える。【選択図】図１
2008162679.tif 000002
【特許請求の範囲】
【請求項１】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
該キャップには、該開封刃に回転力を伝動する複数の第１係合フィンが、該キャップの天板下面から実質的に垂直に設けられ、
該キャップの内周面と該スパウトの注出筒の外周面とに、該キャップをその開閉時に螺旋状に上下させる第１及び第２螺合部がそれぞれ設けられ、
該開封刃には、該スパウトの注出筒の内周面に設けられた第３螺合部と螺合して、該キャップの螺旋状上下運動に連動して螺旋状に下上運動する第４螺合部を外周面に有する円筒部と、該円筒部の下端に設けらる刃とを備え、
該開封刃の円筒部の内周面に上下垂直に、該キャップの係合フィンと、該キャップの螺旋状上運動時に係合して回転力を該キャップから該開封刃に伝動し、該キャップの螺旋状下運動時に確実に係合しない第２係合フィンが設けられ、
該開封刃の円筒部の内部空間を横断するフィルタを有する
ことを特徴とする注出口栓。
【請求項２】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
該キャップには、該開封刃に回転力を伝動する複数の第１係合フィンが、該キャップの天板下面から実質的に垂直に設けられ、
該キャップの内周面と該スパウトの注出筒の外周面とに、該キャップをその開閉時に螺旋状に上下させる第１及び第２螺合部がそれぞれ設けられ、
該開封刃には、該スパウトの注出筒の内周面に設けられた第３螺合部と螺合して、該キャップの螺旋状上下運動に連動して螺旋状に下上運動する第４螺合部を外周面に有する円筒部と、該円筒部の下端に設けらる刃とを備え、
該開封刃の円筒部の内周面に上下垂直に、該キャップの係合フィンと、該キャップの螺旋状上運動時に係合して回転力を該キャップから該開封刃に伝動し、該キャップの螺旋状下運動時に確実に係合しない第２係合フィンが設けられ、
該スパウトの注出筒の内周面に設けられた第３螺合部の凹面に断面くさび状突起を有し、該開封刃の円筒部外周面の第４螺合部の凸条に上下方向に逃げ領域を形成された
ことを特徴とする注出口栓。
【請求項３】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
該キャップには、該開封刃に回転力を伝動する複数の第１係合フィンが、該キャップの天板下面から実質的に垂直に設けられ、
該キャップの内周面と該スパウトの注出筒の外周面とに、該キャップをその開閉時に螺旋状に上下させる第１及び第２螺合部がそれぞれ設けられ、
該開封刃には、該スパウトの注出筒の内周面に設けられた第３螺合部と螺合して、該キャップの螺旋状上下運動に連動して螺旋状に下上運動する第４螺合部を外周面に有する円筒部と、該円筒部の下端に設けらる刃とを備え、
該開封刃の円筒部の内周面に上下垂直に、該キャップの係合フィンと、該キャップの螺旋状上運動時に係合して回転力を該キャップから該開封刃に伝動し、該キャップの螺旋状下運動時に確実に係合しない第２係合フィンが設けられ、
該スパウトの基部下面に、複数本の凸条が形成され、該凸条の凸面に細かい第２の凸条が形成されている
ことを特徴とする注出口栓。
【請求項４】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓であって、
該キャップには、該開封刃に回転力を伝動する複数の第１係合フィンが、該キャップの天板下面から実質的に垂直に設けられ、
該キャップの内周面と該スパウトの注出筒の外周面とに、該キャップをその開閉時に螺旋状に上下させる第１及び第２螺合部がそれぞれ設けられ、
該開封刃には、該スパウトの注出筒の内周面に設けられた第３螺合部と螺合して、該キャップの螺旋状上下運動に連動して螺旋状に下上運動する第４螺合部を外周面に有する円筒部と、該円筒部の下端に設けらる刃とを備え、
該開封刃の円筒部の内周面に上下垂直に、該キャップの係合フィンと、該キャップの螺旋状上運動時に係合して回転力を該キャップから該開封刃に伝動し、該キャップの螺旋状下運動時に確実に係合しない第２係合フィンが設けられ、
該キャップの外周面に上下方向に複数本の凸条及び凹条が形成され、所定間隔ごとに該凹条が該天板面との角まで延伸している
ことを特徴とする注出口栓。
【請求項５】
破断可能な封止フィルムで封止された液体用紙容器の注出孔に設けられ、注出筒と基部とからなるスパウトと、該スパウトを覆うキャップと、該スパウトに内蔵され、該キャップの螺旋状上下運動に連動して螺旋状に下上運動する開封刃と、からなる注出口栓を製造する方法であって、
該開封刃に回転力を伝動する複数の第１係合フィンが、天板下面から実質的に垂直に設けられ、内周面に開閉時に螺旋状に上下させる第１螺合部が設けられた該キャップを準備し、
該注出筒の外周面に第２螺合部が設けられた該スパウトと；
該スパウトの注出筒の内周面に設けられた第３螺合部と螺合して、該キャップの螺旋状上下運動に連動して螺旋状に下上運動する第４螺合部を外周面に有する円筒部と、該円筒部の下端に設けらる刃とを備え、円筒部の内周面に上下垂直に、該キャップの係合フィンと、該キャップの螺旋状上運動時に係合して回転力を該キャップから該開封刃に伝動し、該キャップの螺旋状下運動時に確実に係合しない第２係合フィンが設けられた該開封刃と；を
該スパウトの下端と該開封刃の上端とを接合するブリッジを介して一体成形し、
該ブリッジを破断し、該開封刃の円筒部外周面の第４螺合部の凸条に上下方向に形成された逃げ領域を、破断した該ブリッジを通過させて、該開封刃を該スパウトの注出筒内に嵌め込み、
該キャップを該注出筒の外周面に螺合させる
ことを特徴とする注出口栓の製造法。
【発明の詳細な説明】
【技術分野】
【０００１】
本発明は、牛乳、ジュース、お茶など液体食品を充填する包装容器のための注出口栓及びその製造法に関する。
【背景技術】
【０００２】
牛乳、ジュース、お茶など液体食品を充填する包装容器のための注出口栓に、破断可能な封止フィルムで封止された液体用紙容器の注出孔に設けられるスパウトと、スパウトを覆うキャップと、スパウトに内蔵され、キャップに回転開封運動に連動して逆に注出孔へ下方へ運動する開封刃とからなる注出口栓がある。（特許文献１参照）
【０００３】
【特許文献１】特開２００１−１０６２４８号公報
【発明の開示】
【発明が解決しようとする課題】
【０００４】
破断可能な封止フィルムで封止された液体用紙容器の注出孔に設けられるスパウトと、スパウトを覆うキャップと、スパウトに内蔵され、キャップに回転開封運動に連動して逆に注出孔へ下方へ運動する開封刃とからなる注出口栓では、開封後も連動し下限まで達した開封刃を、容器内部に落下しないように確実に保持する必要がある。
破断された封止フィルムも、開封後も容器内部に落下しないように確実に保持する必要がある。
更に、スパウトと開封刃とを一体成形し、簡易に組み立て、キャップを被せて製造するステップにおいて、安全性の高い注出口栓を得る必要がある。
また、小児などの非力な消費者であっても、注出口栓を容易に簡単に開封できることが切望されている。
本発明は、上記の必要性、切望に応えるものであり、開封後に、開封刃及び破断された封止フィルムを、容器内部に落下しないように確実に保持し、安全性の高い注出口栓を得、注出口栓を容易に簡単に開封できる注出口栓及び注出口栓の製造法を提供することを目的とする。
【課題を解決するための手段】
【０００５】
この課題を解決する第１の発明の注出口栓は、破断可能な封止フィルムで封止された液体用紙容器の注出孔に設けられ、注出筒と基部とからなるスパウトと、スパウトを覆うキャップと、スパウトに内蔵され、キャップの螺旋状上下運動に連動して螺旋状に下上運動する開封刃と、からなる注出口栓であって、
キャップには、開封刃に回転力を伝動する複数の第１係合フィンが、キャップの天板下面から実質的に垂直に設けられ、
キャップの内周面とスパウトの注出筒の外周面とに、キャップをその開閉時に螺旋状に上下させる第１及び第２螺合部がそれぞれ設けられ、
開封刃には、スパウトの注出筒の内周面に設けられた第３螺合部と螺合して、キャップの螺旋状上下運動に連動して螺旋状に下上運動する第４螺合部を外周面に有する円筒部と、円筒部の下端に設けらる刃とを備え、
開封刃の円筒部の内周面に上下垂直に、キャップの係合フィンと、キャップの螺旋状上運動時に係合して回転力をキャップから開封刃に伝動し、キャップの螺旋状下運動時に確実に係合しない第２係合フィンが設けられ、
開封刃の円筒部の内部空間を横断するフィルタを有する
ことを特徴とする。
【０００６】
この課題を解決する第２の発明の注出口栓は、破断可能な封止フィルムで封止された液体用紙容器の注出孔に設けられ、注出筒と基部とからなるスパウトと、スパウトを覆うキャップと、スパウトに内蔵され、キャップの螺旋状上下運動に連動して螺旋状に下上運動する開封刃と、からなる注出口栓であって、
キャップには、開封刃に回転力を伝動する複数の第１係合フィンが、キャップの天板下面から実質的に垂直に設けられ、
キャップの内周面とスパウトの注出筒の外周面とに、キャップをその開閉時に螺旋状に上下させる第１及び第２螺合部がそれぞれ設けられ、
開封刃には、スパウトの注出筒の内周面に設けられた第３螺合部と螺合して、キャップの螺旋状上下運動に連動して螺旋状に下上運動する第４螺合部を外周面に有する円筒部と、円筒部の下端に設けらる刃とを備え、
開封刃の円筒部の内周面に上下垂直に、キャップの係合フィンと、キャップの螺旋状上運動時に係合して回転力をキャップから開封刃に伝動し、キャップの螺旋状下運動時に確実に係合しない第２係合フィンが設けられ、
スパウトの注出筒の内周面に設けられた第３螺合部の凹面に断面くさび状突起を有し、開封刃の円筒部外周面の第４螺合部の凸条に上下方向に逃げ領域を形成された
ことを特徴とする。
【０００７】
この課題を解決する第３の発明の注出口栓は、破断可能な封止フィルムで封止された液体用紙容器の注出孔に設けられ、注出筒と基部とからなるスパウトと、スパウトを覆うキャップと、スパウトに内蔵され、キャップの螺旋状上下運動に連動して螺旋状に下上運動する開封刃と、からなる注出口栓であって、
キャップには、開封刃に回転力を伝動する複数の第１係合フィンが、キャップの天板下面から実質的に垂直に設けられ、
キャップの内周面とスパウトの注出筒の外周面とに、キャップをその開閉時に螺旋状に上下させる第１及び第２螺合部がそれぞれ設けられ、
開封刃には、スパウトの注出筒の内周面に設けられた第３螺合部と螺合して、キャップの螺旋状上下運動に連動して螺旋状に下上運動する第４螺合部を外周面に有する円筒部と、円筒部の下端に設けらる刃とを備え、
開封刃の円筒部の内周面に上下垂直に、キャップの係合フィンと、キャップの螺旋状上運動時に係合して回転力をキャップから開封刃に伝動し、キャップの螺旋状下運動時に確実に係合しない第２係合フィンが設けられ、
スパウトの基部下面に、複数本の凸条が形成され、凸条の凸面に細かい第２の凸条が形成されている
ことを特徴とする。
【０００８】
この課題を解決する第４の発明の注出口栓は、破断可能な封止フィルムで封止された液体用紙容器の注出孔に設けられ、注出筒と基部とからなるスパウトと、スパウトを覆うキャップと、スパウトに内蔵され、キャップの螺旋状上下運動に連動して螺旋状に下上運動する開封刃と、からなる注出口栓であって、
キャップには、開封刃に回転力を伝動する複数の第１係合フィンが、キャップの天板下面から実質的に垂直に設けられ、
キャップの内周面とスパウトの注出筒の外周面とに、キャップをその開閉時に螺旋状に上下させる第１及び第２螺合部がそれぞれ設けられ、
開封刃には、スパウトの注出筒の内周面に設けられた第３螺合部と螺合して、キャップの螺旋状上下運動に連動して螺旋状に下上運動する第４螺合部を外周面に有する円筒部と、円筒部の下端に設けらる刃とを備え、
開封刃の円筒部の内周面に上下垂直に、キャップの係合フィンと、キャップの螺旋状上運動時に係合して回転力をキャップから開封刃に伝動し、キャップの螺旋状下運動時に確実に係合しない第２係合フィンが設けられ、
キャップの外周面に上下方向に複数本の凸条及び凹条が形成され、所定間隔ごとに凹条が天板面との角まで延伸している
ことを特徴とする。
【０００９】
この課題を解決する第５の発明の注出口栓の製造法は、破断可能な封止フィルムで封止された液体用紙容器の注出孔に設けられ、注出筒と基部とからなるスパウトと、スパウトを覆うキャップと、スパウトに内蔵され、キャップの螺旋状上下運動に連動して螺旋状に下上運動する開封刃と、からなる注出口栓を製造する方法であって、
開封刃に回転力を伝動する複数の第１係合フィンが、天板下面から実質的に垂直に設けられ、内周面に開閉時に螺旋状に上下させる第１螺合部が設けられたキャップを準備し、
注出筒の外周面に第２螺合部が設けられたスパウトと；
スパウトの注出筒の内周面に設けられた第３螺合部と螺合して、キャップの螺旋状上下運動に連動して螺旋状に下上運動する第４螺合部を外周面に有する円筒部と、円筒部の下端に設けらる刃とを備え、円筒部の内周面に上下垂直に、キャップの係合フィンと、キャップの螺旋状上運動時に係合して回転力をキャップから開封刃に伝動し、キャップの螺旋状下運動時に確実に係合しない第２係合フィンが設けられた開封刃と；を
スパウトの下端と開封刃の上端とを接合するブリッジを介して一体成形し、
ブリッジを破断し、開封刃の円筒部外周面の第４螺合部の凸条に上下方向に形成された逃げ領域を、破断したブリッジを通過させて、開封刃をスパウトの注出筒内に嵌め込み、
キャップを注出筒の外周面に螺合させる
ことを特徴とする。
【発明の効果】
【００１０】
上記構成を有するこの発明は、以下の様に作用機能する。
この発明における液体用包装容器は、破断可能な封止フィルムで封止された注出孔を頂部に有する。その容器は、紙などの積層包装材料より形成され、その包装材料が容器頂部で穿孔されて注出孔が形成されている。その注出孔がバリア性プラスチックフィルムなどで封止されている。
そのスパウトの基部は、容器頂部であって注出孔の近傍に接合され、注出栓を容器に固着し支持する。スパウトの注出筒は、容器内容物の液体を注ぎ出す通路を形成する。
その開封刃は、スパウトに内蔵され、キャップの開封時の螺旋状上運動に連動して螺旋状に下方運動する。その結果、その開封刃は、注出孔の破断可能な封止フィルムを破断する。
【００１１】
キャップは、スパウトを覆い、注出孔を保護するとともに、開封時にキャップの回転運動が開封刃のフィルム破断力を生む。そのキャップには、複数の第１係合フィンが設けられている。その第１係合フィンがキャップの天板下面から実質的に垂直に設けられ、開封刃に回転力を伝動する。
キャップの内周面と該スパウトの注出筒の外周面とに、螺旋状に上下させる第１螺合部と第２螺合部、すなわち、ネジ、若しくは、ネジ状突条／溝が、それぞれ設けられている。キャップを回転させることにより、第１螺合部と第２螺合部に沿って螺旋状に上下に滑動する。キャップを開閉することができる。
【００１２】
スパウトには、その注出筒の内周面に設けられた第３螺合部を有する。開封刃は、その第３螺合部と、円筒部の外周面の第４螺合部とで螺合する。その螺合により、キャップの螺旋状上運動に連動して螺旋状に下運動する、すなわち、キャップの上昇により、開封刃が下降する。円筒部の下端に設けらる刃が、先ず、注出孔の封止フィルムの１点を容易に破断する。
更に、キャップを回転して上昇させると、開封刃は回転しながら下降するので、刃が封止フィルムを円形に切断する。
【００１３】
開封刃の円筒部の内周面に上下垂直に設けられた第２係合フィンは、キャップの係合フィンとキャップの螺旋状上運動時に係合して回転力をキャップから開封刃に伝動するが、キャップの螺旋状下運動時に確実に係合しない。その結果、キャップが開封時に上昇回転すると同時に、確実に、開封刃が下方に回転し、フィルムを破断し、もし、キャップが螺旋状下運動に転じても、開封刃は下降せずその位置に留まる。
【００１４】
キャップがスパウトから離脱するので、刃が封止フィルムを容器注出孔から完全に切断されず、容器内部に落下すること無い。
開封が終了し、キャップがスパウトから離脱すると、第１係合フィンと第２係合フィンとがいずれも上下垂直に設けられているので、万が一にも、開封刃がスパウト若しくは容器に係合していても、キャップがが、開封刃から容易に上方に離脱する。
【００１５】
第１の発明の注出口栓では、開封刃の円筒部の内部空間を横断するフィルタを有する。
キャップを回転して上昇させると、開封刃は回転しながら下降するので、刃が封止フィルムを円形に切断する。刃が封止フィルムを容器注出孔から完全に切断したとしても、フィルタがフィルムを捕捉しフィルムが容器から出て誤飲される恐れが無い。
【００１６】
第２の発明の注出口栓は、スパウトの注出筒の内周面に設けられた第３螺合部の凹面に断面くさび状突起を有し、開封刃の円筒部外周面の第４螺合部の凸条に上下方向に逃げ領域を形成される。
キャップの螺旋状上運動に連動して開封刃が螺旋状に下運動する際に、第３螺合部の凹面に設けられた断面くさび状突起が、上記逃げ領域と相俟って、上記運動を補助する。
【００１７】
第３の発明の注出口栓は、スパウトの基部下面に、複数本の凸条が形成され、凸条の凸面に細かい第２の凸条が形成されている。
第２の凸条によって、基部下面の表面積が大きくなり、熱吸収能が増加してスパウトの基部を容器に確実にヒートシールすることができる。
【００１８】
第４の発明の注出口栓は、キャップの外周面に上下方向に複数本の凸条及び凹条が形成され、所定間隔ごとに凹条が天板面との角まで延伸している。
キャップの天板角に凹凸が形成され、消費者が開封時に確実にキャップを把持して容易に開封することができる。
【００１９】
第５の発明の注出口栓の製造法は、スパウトと開封刃とをブリッジを介して一体成形し、組み立て時に、ブリッジを破断し、逃げ領域でブリッジを通過させる。
破断したブリッジが突出していても、開封刃の外面、開封刃のネジ山と衝突・接触してブリッジが折れて小片として注出口栓製品や容器に付着することが無い。
【発明を実施するための最良の形態】
【００２０】
以下、本発明の実施の形態について図面を参照しながら詳細に説明する。
図１は、この発明による注出口栓の一実施例のスパウトと開封刃との一体成形体を示す外観斜視図である。
図２は、この発明による注出口栓の一実施例のスパウトを示す外観斜視図である。
図３は、この発明による注出口栓の一実施例の開封刃を示す外観斜視図である。
図４は、この発明による注出口栓の一実施例のキャップを示す外観斜視図及び一部拡大図である。
図５は、この発明による注出口栓の一実施例の製造工程を説明する側面図である。
図６は、この発明による注出口栓例を備える包装容器の外観斜視図である。
【００２１】
この実施例の注出口栓２は、図６（Ａ）に示す破断可能な封止フィルム４で封止された液体用紙容器１の注出孔３に、図６（Ｂ）のように設けられる。
注出口栓２は、注出筒５と基部６とからなるスパウト７と、スパウト７を覆うキャップ８と、スパウト７に内蔵され、キャップ８の螺旋状上下運動に連動して螺旋状に下上運動する開封刃９とからなる。
【００２２】
図４に示すように、キャップ８には、開封刃９に回転力を伝動する４本の第１係合フィン８ａが、キャップ８の天板下面から実質的に垂直に設けられる。
キャップ８の内周面とスパウト７の注出筒５の外周面とに、キャップ８をその開閉時に螺旋状に上下させる第１螺合部８ｂ及び第２螺合部７ａがそれぞれ設けられる。
【００２３】
図３に示すように、開封刃９には、スパウト７の注出筒５の内周面に設けられた第３螺合部５ａと螺合して、キャップの螺旋状上下運動に連動して螺旋状に下上運動する第４螺合部９ａを外周面に有する円筒部１０と、円筒部の下端に設けらる刃１１とを備える。
開封刃の円筒部１０の内周面に上下垂直に、キャップの係合フィンと、キャップの螺旋状上運動時に係合して回転力をキャップから開封刃に伝動し、キャップの螺旋状下運動時に確実に係合しない第２係合フィン９ｂが設けられる。
図３に示すように、開封刃９には、開封刃の円筒部の内部空間を横断する十字形のフィルタ１２を有する。
【００２４】
図２に示すように、スパウト７の注出筒５の内周面に設けられた第３螺合部５ａの凹面に断面くさび状突起５ｂを有する。
図１に示すように、開封刃９には、開封刃の円筒部外周面の第４螺合部９ａの凸条に上下方向に逃げ領域９ｂを形成されている。
【００２５】
図１に示すように、スパウトの基部６の下面に、複数本の凸条６ａが形成され、凸条の凸面に細かい第２の凸条６ｂが形成されている。
【００２６】
図４（Ａ）の一部拡大図に示すように、キャップ８の外周面に上下方向に複数本の凸条及び凹条８ｃが形成され、所定間隔ごとに凹条８ｄが天板面との角まで延伸している。
【００２７】
図５（Ａ）に示すように、キャップ８を準備し、スパウト７と開封刃９との一体成形体とを合わせる。
図５（Ａ）に示すように、矢印方向に押してブリッジ９ｃを破断し、開封刃９の円筒部外周面の第４螺合部の凸条９ａに上下方向に形成された逃げ領域９ｂを、破断したブリッジを通過させて、図５（Ｂ）に示すように、開封刃９をスパウト７の注出筒内に嵌め込む。
図５（Ｂ）に示す矢印のようにキャップを注出筒の外周面に螺合させ、図５（Ｃ）に示す注出口栓２を得る。
【００２８】
注出口栓２の作用機能する。
図５（Ｄ）、（Ｅ）に示すように、注出口栓２を、スパウトの基部６を容器頂部の注出孔３の近傍に接合する。
図５（Ｆ）に示すように、開封刃９は、スパウトに内蔵され、キャップ８の開封時の螺旋状上運動に連動して螺旋状に下方運動する。開封刃の下端刃１１は、注出孔３の破断可能な封止フィルム４を破断する。
【００２９】
なお、本発明は該実施の形態に限定されるものではなく、本発明の趣旨に基づいて種々変形させることが可能であり、それらを本発明の範囲から排除するものではない。
【産業上の利用可能性】
【００３０】
この発明は、ジュース、牛乳などの飲料を包装充填する注出口栓付き液体用包装容器の製造に適用することができる。
【図面の簡単な説明】
【００３１】
【図１】この発明による注出口栓の一実施例のスパウトと開封刃との一体成形体を示す外観斜視図である。
【図２】この発明による注出口栓の一実施例のスパウトを示す外観斜視図である。
【図３】この発明による注出口栓の一実施例の開封刃を示す外観斜視図である。
【図４】この発明による注出口栓の一実施例のキャップを示す外観斜視図及び一部拡大図である。
【図５】この発明による注出口栓の一実施例の製造工程を説明する側面図である。
【図６】この発明による注出口栓例を備える包装容器の外観斜視図である。
【符号の説明】
【００３２】
２  ・・・注出口栓
５  ・・  注出筒
７  ・・・スパウト
９  ・・・開封刃
【図１】
2008162679.tif 000003
【図２】
2008162679.tif 000004
【図３】
2008162679.tif 000005
【図４】
2008162679.tif 000006
【図５】
2008162679.tif 000007
【図６】
2008162679.tif 000008